(57)【要約】【課題】  タグを切り離してもその部分が開口せず、十分な情報を記載した切り離し可能なタグを一体的に備え得る構造を持った包装用箱及びそのブランクシートの提供。【解決手段】  複数の仕切面に囲まれた閉鎖空間を備える包装用箱であって、前記複数の仕切面のいずれかに開封部Ｏを備え、前記複数の仕切面のいずれか一面又は連続する複数の仕切面の位置に、当該仕切面、当該仕切面に連続して折り重なる折重ね片１及び最内層の目隠し片２を含む重合部Ｌを備え、前記重合部Ｌに当該重合部Ｌを構成する仕切面から前記折重ね片１へ連続するタグ部３を一体的に備え、前記タグ部３の周囲に切込４を備えることを特徴とする包装用箱とそのブランクシート。【選択図】      図１
2016016889.tif 000002
【特許請求の範囲】
【請求項１】
複数の仕切面に囲まれた閉鎖空間を備える包装用箱であって、
前記複数の仕切面のいずれかに開封部を備え、
前記複数の仕切面のいずれか一面又は連続する複数の仕切面の位置に、当該仕切面、当該仕切面に連続して折り重なる折重ね片及び最内層の目隠し片を含む重合部を備え、
前記重合部に当該重合部を構成する仕切面から前記折重ね片へ連続するタグ部を一体的に備え、
前記タグ部の周囲に切込を備えることを特徴とする包装用箱。
【請求項２】
前記タグ部の中間部に、前記仕切面又は前記折重ね片に向けて凸となる弓状切込を、前記仕切面と前記折重ね片との境界線に沿って設けた前記請求項１に記載の包装用箱。
【請求項３】
閉鎖空間を構成する複数の仕切面と、
前記複数の仕切面のいずれか一面又は連続する複数の仕切面の位置に、当該仕切面と共に重合部を構成する折重ね片と、
当該折重ね片及び前記重合部を構成する前記仕切面と共に最内層として当該重合部を構成する目隠し片を連続して備え、
前記重合部に当該重合部を構成する仕切面から前記折重ね片へ連続するタグ部を一体的に備え、
前記タグ部の周囲に切込を備えることを特徴とする包装用箱のブランクシート。
【請求項４】
前記タグ部の中間部に、前記仕切面又は前記折重ね片に向けて凸となる弓状切込を、前記仕切面と前記折重ね片との境界線に沿って設けた前記請求項３に記載の包装用箱のブランクシート。
【発明の詳細な説明】
【技術分野】
【０００１】
本発明は、商品に関する情報を記すタグを一体的に備える包装用箱及びそのブランクシートに関する。
【背景技術】
【０００２】
医薬品などを内包する包装用箱の分野では、内容物を包装用箱から取り出し、例えば、ＰＴＰ（Press Through Package）シートの状態で調剤棚に保管する場合に、当該ＰＴＰシートを包装箱に印刷された情報と結びつけるため、包装箱の特定の部分をタグとして切り取り、当該ＰＴＰシートに添付し又は調剤棚所定の保管位置に貼り付けることが慣習上行われている。
従来、この様な作業の便宜として、内容物に関する情報を記したタグを一体的に含み且つ当該タグを取り外し容易とする構成を持つ包装用箱が、下記特許文献をはじめとして種々提供されている。
【先行技術文献】
【特許文献】
【０００３】
【特許文献１】実用新案公報第３１８４６０４号公報
【特許文献２】実用新案公報第３１７２０９９号公報
【発明の概要】
【発明が解決しようとする課題】
【０００４】
しかしながら、前記特許文献１に記載の技術は、タグを切り離すと、その領域が開放してしまい内部が露出すると言う問題がある。
一方、前記特許文献２に記載の技術は、内部が露出することはないものの、二重構造である外側片に十分な寸法が無い場合には、そこに記載し得る情報量が制限され、タグやカードとしての機能が十分に果たせないという問題がある。
【０００５】
本発明は、上記実情に鑑みて為されたものであって、タグを切り離してもその部分が開口せず、十分な情報を記載した切り離し可能なタグを一体的に備え得る構造を持った包装用箱及びそのブランクシートの提供を目的とする。
【課題を解決するための手段】
【０００６】
上記課題を解決すべく為された本発明による包装用箱は、複数の仕切面に囲まれた閉鎖空間を備える包装用箱であって、前記複数の仕切面のいずれかに開封部を備え、前記複数の仕切面のいずれか一面又は連続する複数の仕切面の位置に、当該仕切面、当該仕切面に連続して折り重なる折重ね片及び最内層の目隠し片を含む重合部を備え、前記重合部に当該重合部を構成する仕切面から前記折重ね片へ連続するタグ部を一体的に備え、前記タグ部の周囲に切込を備えることを特徴とする。
【０００７】
上記課題を解決すべく為された本発明による包装用箱のブランクシートは、閉鎖空間を構成する複数の仕切面と、前記複数の仕切面のいずれか一面又は連続する複数の仕切面の位置に、当該仕切面と共に重合部を構成する折重ね片と、当該折重ね片及び前記重合部を構成する前記仕切面と共に最内層として当該重合部を構成する目隠し片を連続して備え、前記重合部に当該重合部を構成する仕切面から前記折重ね片へ連続するタグ部を一体的に備え、前記タグ部の周囲に切込を備えることを特徴とする。
尚、前記包装用箱又はそのブランクシートのいずれにあっても、前記タグ部の中間部に、前記仕切面又は前記折重ね片に向けて凸となる弓状切込を、前記仕切面と前記折重ね片との境界線に沿って設けた構造を採ることができる。
【発明の効果】
【０００８】
本発明による包装用箱及びそのブランクシートによれば、タグを切り離したとしても、その領域が開放してしまうことがなく、内容物を露出することなく収容し続けることができる。
また、当該箱体の一側面にタグとして機能し得る十分な寸法が無い場合にあっても、当該箱体の保形強度を失することなく、十分な情報記載領域が確保されたタグを分離することができる。
【０００９】
更に、前記折重ね片の連結位置を工夫すれば、その折曲げ方向を組み立て時における各構成面の折曲げ方向と一致させることによって比較的容易に機械貼り又は自動充填機にかけることができる。
【図面の簡単な説明】
【００１０】
【図１】本発明による包装用箱の機能の一例を示す斜視図である。
【図２】本発明による包装用箱から離脱したタグ部の（Ａ）：屈曲状態（Ｂ）：表面及び（Ｃ）：裏面の一例を示す説明図である。
【図３】本発明による包装用箱の一例を示す（Ａ）：正面図及び（Ｂ）：背面図である。
【図４】本発明による包装用箱の一例を示す（Ａ）：平面図及び（Ｂ）：底面図である。
【図５】本発明による包装用箱の一例を示す（Ａ）：左側面図及び（Ｂ）：右側面図である。
【図６】本発明による包装用箱のブランクシートの一例を示す（Ａ）：右側面図、（Ｂ）：平面図、（Ｃ）：正面図（背面図）、（Ｄ）：底面図（Ｅ）：及び左側面図である。
【発明を実施するための形態】
【００１１】
以下、本発明による包装用箱の実施の形態を、そのブランクシートの実施の形態と共に詳細に説明する。
本発明による包装用箱は、複数の仕切面に囲まれた閉鎖空間を備える包装用箱であって、前記複数の仕切面のいずれかに、包装用箱を開封し内容物を取り出し得る措置が施された開封部Ｏを備え、前記複数の仕切面のいずれか一面又は連続する複数の仕切面の位置に、当該仕切面、当該仕切面に連続して折り重なる折重ね片１及び最内層の目隠し片２を含む重合部Ｌを備え、前記重合部Ｌに当該重合部Ｌを構成する仕切面から前記折重ね片１へ連続するタグ部３を一体的に備え、前記タグ部３の周囲に切込４を備えるものである。
【００１２】
一方、上記包装用箱のブランクシートは、閉鎖空間を構成する複数の仕切面と、前記複数の仕切面のいずれか一面又は連続する複数の仕切面の位置に、当該仕切面と共に重合部Ｌを構成する折重ね片１と、当該折重ね片１及び前記重合部Ｌを構成する前記仕切面と共に最内層として当該重合部Ｌを構成する目隠し片２を連続して備え、前記重合部Ｌに当該重合部Ｌを構成する仕切面から前記折重ね片１へ連続するタグ部３を一体的に備え、前記タグ部３の周囲に切込４を備えるものである。
【実施例】
【００１３】
[ブランクシート]
図６に示すブランクシートは、直方体状の包装用箱を形作るものであって、箱体Ｘの側方を封じる側部Ａ、当該側部Ａを筒状に保形する糊代片、前記側部Ａで仕切られる箱体Ｘの上下を封じる天部Ｂ及び底部（下仕切面）Ｃ並びに前記糊代片の表側に重合する（重ね順は問わない）前記折重ね片１を連結して備える。
【００１４】
前記側部Ａは、後側面５、左側面６、前側面７、及び右側面８からなる四側面（四仕切面）を一列に連続して備える。
当該例では、前記後側面５と前記前側面７及び前記左側面６と前記右側面８は、大きさと形が略等しい方形状である。
【００１５】
前記糊代片は、前記四側面の列の一端から延出する形で形作り、前記折重ね片１は、前記四側面の列の他端から延出する形で形作る。
前記糊代片は、当該ブランクシートを組み立てた際に前記タグ部３の全域を覆う目隠し部ａを備え、且つ前記折重ね片１における前記タグ部３を避けた領域（特に開封位置の周辺領域）に糊付け部ｂを備える。上記構成により、当該糊代片が前記目隠し片２（以下「糊代片２」と記す）となる。
上記構成を確保すべく、図１に示すブランクシートは、開封される前記天部Ｂの近傍に糊付け部ｂを設ける。開封されない前記底部Ｃの近傍は、切り欠いた形状としてもよい。
【００１６】
前記折重ね片１は、連続する（右）側面よりも寸法の小さい方形状に裁断する。当該折重ね片１及び側面と共に構成される前記重合部Ｌの強度や体裁に、その全面に渡る均一性を与えるには、前記折重ね片１と相重なる側面とのサイズ差はできるだけ少ないことが望ましい。
場合によっては、前記折重ね片１に、前記タグ部３の形成及び糊付け領域を確保する支障とならない程度に適宜ブランク（孔など）を設けても良い。
【００１７】
前記タグ部３は、前記折重ね片１と前記右側面８の境界線αを挟む両側に連なる形で形成される。
図に示す例の前記タグ部３は、前記境界線αに沿って、前記右側面８から前記折重ね片１に向けて凸となる弓状切込９を備える。
当該弓状切込９は、前記重合部Ｌを構成する前記右側面８から折曲げ線（前記境界線α）を介して隣接する側面（この例では右側面８）へ連なって設けることによって前記弓状切込９で切り出された凸部ｃが浮き上がり、前記タグ部３を切り離す際の手掛かりとなる（例えば図１又は図２（Ａ）参照）。当該弓状切込９の長さ（前記境界線αに沿う上下方向の長さ）は、前記手掛かりとしての機能を果たし且つ当該弓状切込９の存在により前記タグ部３が破断しない程度の長さ及び位置とし、例えば、前記タグ部３の幅の約１／３から約１／２の長さを中間部に設けるなどの構造とすればよい。
【００１８】
前記タグ部３を囲む切込４は、二列の間欠切込を互い違いに並設してなる複切込ｍと、一列の間欠切込からなる単切込ｓとで構成される。
図５に示すタグ部３は、前記右側面８と前記折重ね片１との境界線αを挟んで、当該境界線αに対して直角方向両側へ長方形状に連なる様に成形されている。
前記タグ部３を囲む切込４は、前記右側面８（最も表側にある面）の側にあっては、上下辺の中間部大部分を前記複切込ｍとし、左右両端部を単切込ｓとし、前記折重ね片１（最も表側にある面の下となる面）の側にあっては、全てを単切込ｓとする。
【００１９】
前記複切込ｍは、二列の間隔を、当該ブランクシートの紙厚に略等しく設定することによって（例えば紙厚に対して０．５ｍｍ程度増減した幅）、輸送時や積上げ時に破断が生じ難く、破断時にあっては、容易に且つ見た目良く破断できることとなる。
上記切込４の存在により、組立時における折曲げ部位が正規の折曲げ部位（例えば前記境界線α）から逸れることが無いように、前記タグ部３を囲む切込４と組立時の折曲げ部位が紙厚の八倍から十二倍長以内に近接する場合には、当該近接領域における正規の折曲げ部位に曲げ切込ｅを適宜設けることが望ましい。
【００２０】
前記後側面５は、前記側面部Ａで仕切られる箱体Ｘの開口部を封じるために、前記後側面５の上端縁に前記天部Ｂを構成する蓋片（上仕切面）１０を備え、下端縁に沿って前記底部Ｃを構成する底封止片１１を備える。
前記蓋片１０は、前記側面部Ａで仕切られる箱体Ｘの開口部に、前記前側面７に沿って差し入れる差込片１２を、当該蓋片１０の先端縁に沿って備える。前記差込片１２は、前記箱体Ｘの開口部への差し入れを容易にすべく、前記差込片１２の先端部を滑らかな先細りに成形することが望ましい。
【００２１】
前記前側面７は、その下端縁に沿って前記底部Ｃを構成する底封止片１３を備え、その上端中間部を分断する開封破断線１４を備える。
前記開封破断線１４は、前記前側面７の上縁中間部から前側面７の中央に向けて指先サイズの逆台形状に切り込まれたミシン目であり、当該開封破断線１４に囲まれたエリアに貫入部を形成する。
【００２２】
前記底封止片１１，１３は、前記後側面５及び前記後側面７の下端縁から延出する。
前記底封止片１１，１３は、その先端の片側半分に、前記下端縁と平行な差込縁βを備え、前記先端の他の半分に、前記下端部と平行な係り縁γを備える。
【００２３】
前記下端縁から前記係り縁γに至る長さは、前記左側面６及び前記右側面８の奥行き（全幅）の半分に相当する長さに設定し、前記差込縁βから前記下端縁に至る長さは、それよりも十分長く且つ前記左側面６及び前記右側面８の奥行き（全幅）未満とする。
前記係り縁γは、前記他の半分の前記差込縁β寄り半分に位置し、残る当該係り縁γと等しい幅の領域に、三角形状の底糊代１５を延設する。当該底糊代１５の先端は、前記差込縁βの延長線上に配置する様に成形する。
ブランクシートの状態で、前記前側面７及び前記後側面５について下端縁の左右同じ側に前記差込縁βを配置することによって、組み立てた際に、双方の差込縁β，βが食い違うこととなる。
【００２４】
前記左側面６と前記右側面８は、開口部に向けて屈曲する左右フラップ１６，１７，１８，１９を、各々の上下端縁に沿って備える。
前記左側面６と前記右側面８の上縁から延出する各フラップ１６，１７は、各々台形状であり、前記左側面６と前記右側面８の下縁から延出する各フラップ１８，１９は、各々三角形状である。各フラップ１６，１７，１８，１９は、前記後側面５及び前記前側面７の幅に対して、各々略半分未満の長さとする。
【００２５】
[組み立て]
前記ブランクシートの組み立て（立体化）は、先ず、前記折重ね片１を前記右側面８に接着する折重ね行程を行う。この際、前記タグ部３を避けて糊を塗布し両者の接着を行う。
続いて、前記ブランクシートの前記糊代片２、前記後側面５、前記左側面６、前記前側面７及び前記右側面８を各々の境界において夫々同じ方向へ直角に折り曲げ、前記糊代片２の糊付け部ｂに糊を塗布し、前記折重ね片１の前記タグ部３以外の箇所と接着し筒状の箱体Ｘを形成する立体化行程を行う。
この際、前記糊代片２の糊付け部ｂと前記右側面８の前記タグ部３以外の箇所と接着することも可能であるが、前記折重ね行程と前記立体化行程の折曲げ方向を等くすることが望ましい。
【００２６】
次に、当該箱体Ｘの前記左側面６及び前記右側面８の下端縁から延出する前記左フラップ１８及び前記右フラップ１９を当該箱体Ｘの下開口部に向けて略直角に折り、前記後側面５及び前記前側面７の下端縁から延出する前記底封止片１１，１３を、それぞれ前記左フラップ１８及び前記右フラップ１９の上に向けて略直角に折重ね、両底封止片１１，１３の前記底糊代１５，１５を相互に相手方の表側に残し、両底封止片１１，１３の前記差込縁β，βのみを相互に相手方及び前記左フラップ１８又は前記右フラップ１９の前記係り縁γから裏側へ差し入れ、且つ箱体Ｘの直方体形状を維持する様に、前記左フラップ１８及び前記右フラップ１９とそれらの表側に重なる前記底糊代１５，１５を糊で接着する下封鎖行程を行う。
当該下封鎖行程によって、底部Ｃを形成する。
【００２７】
内容物の充填を経て、最後に、前記左側面６及び前記右側面８の上端縁から延出する左右フラップ１６，１７を上開口部に向けて略直角に折り、前記後側面５の上端縁から延出する前記蓋片１０を前記左右フラップ１６，１７の上に向けて略直角に折り重ね、前記蓋片１０の端縁から延出する前記差込片１２を前記前側面７に沿って差し入れて糊付けし当該箱体Ｘを封鎖する（図３（Ａ）又は図４（Ａ）参照）。
以上を以って、内容物が充填され封鎖された包装用箱が完成する。
上記組立方法によれば、上記ブランクシートを前記自動充填機に掛けることができる。
【００２８】
[開封]
上記の如く封鎖された包装用箱は、前記前側面７の上端部に設けられた前記貫入部を指先で押し入れ、更に、引き上げることによって、前記前側面７の上位に設けた前記開封破断線１４を破断し、当該蓋片１０が後方へ起立する状態で開封される。
【００２９】
[タグ部の切り離し]
また、前記包装用箱は、前記凸部ｃを指先などに引っ掛けてその近傍を前記箱体Ｘの表面から浮き上がらせ、浮き上がった部分を摘んで引き剥がすことによって、前記タグ部３周囲の切込４が破断し、二つ折り状態にある前記タグ部３を箱体Ｘから容易に切り離すことができる（図１参照）。
特に、前記右側面８と前記折重ね片１との境界を横断する切込４を一連の切込とすることによって、前記凸部ｃの引き上げが容易となり、最も表側の面に設ける切込４として、前記複切込ｍを採用することによって、想定外の破断を防止する効果を得つつ、必要に応じた破断が容易で見栄えの良いものとなる。
【００３０】
切り離された前記タグ部３は、その折り目を伸ばすことによって、内容物情報を記した表示部ｄが一見で目視できる短冊状のタグとなる（図２参照）。
前記箱体Ｘは、二つ折りの前記タグ部３が離脱した部分が欠け、前記糊代片２の前記目隠し部ａが露出するものの、内容物の露出は回避できる。そして、前記目隠し部ａの表面に離脱した部分と等しい図柄等の印刷をしておけば、離脱後の体裁も良好となる。
また、前記重合部Ｌの見かけ面積が狭くとも、相連続する前記折重ね片１と側面が、前記目隠し部ａを有する前記糊代片２上で折り重なり、前記側面の長さ又は幅を超える寸法の前記タグ部３をその寸法に応じて前記側面の寸法が許す限り一枚又は複数枚得ることができる。
【００３１】
尚、前記タグ部３は、包装用箱を構成する面の単一面に限るものではなく、単一面の面積で不足する場合には、連続する複数面に亘る前記折重ね片を設けることも可能である。
その際、前記糊代片（目隠し片）２は、上記実施例と同様に、前記糊付け部ｂと前記目隠し部ａを設ければ良い。
また、切込４の態様にあっては、最も表側の面に設ける切込４として、前記複切込ｍを採用することが望ましく、前記折重ね片１の折曲げ線（例えば前記境界線αの様な箇所）に沿って、当該折重ね片１と隣接する面から当該折重ね片１に向けて凸となる弓状切込９を備えれば、前記タグ部３を切り離す際の手掛かりとなる。
【００３２】
なお、この発明は上記実施例に限定されるものではなく、前記タグ部３の形態や数又は前記側部Ａ、前記天部Ｂ若しくは前記底部Ｃの構成などを、適宜変更することが可能である。
包装用箱の材質は、紙やプラスチック等、自由に選択可能である。折曲げ線や切込の形状は、材質や機能や位置に合わせて変更可能である。
【符号の説明】
【００３３】
Ｏ  開封部，Ｘ  箱体，Ｌ  重合部，
Ａ  側部，Ｂ  天部，Ｃ  底部，
ａ  目隠し部，ｂ  糊付け部，
ｃ  凸部，ｍ  複切込，ｓ  単切込，ｄ  表示部，ｅ  曲げ切込，
α  境界線，β  差込縁，γ  係り縁，
１  折重ね片，２  目隠し片（糊代片），３  タブ部，４  切込，
５  後側面，６  左側面，７  前側面，８  右側面，
９  弓状切込，１０  蓋片，１２  差込片，
１１，１３  底封止片，１４  開封破断線，１５  底糊代，
１６，１７，１８，１９  フラップ，
【図１】
2016016889.tif 000003
【図２】
2016016889.tif 000004
【図３】
2016016889.tif 000005
【図４】
2016016889.tif 000006
【図５】
2016016889.tif 000007
【図６】
2016016889.tif 000008